(57)【要約】      （修正有）【課題】従来の自由運動咬合器では、咬合器の鋼線に直接石膏で咬合器の真中に片顎模型などを装着する方法で補綴修復物を制作していた。したがって、正常な顎の運動とは違った運動になり不正確な補綴修復物を作成することになった。【解決手段】咬合器の上弓と下弓の鋼線を横広にし、左右独立したマグネットを付けることで、左右片顎模型などを本来あるべき位置に装着し、正常な顎の運動と同じ運動をさせることで、高低差のない補綴修復物を制作することができる自由運動咬合器にした。【選択図】図８
2005278657.tif 000002
【特許請求の範囲】
【請求項１】
上下の模型装着部面積を広くすることで、全顎模型および左右片顎模型が正確な位置に装着できるようになった自由運動咬合器
【請求項２】
全顎模型および左右片顎模型が、それぞれ独立した４個の磁石と位置決め部１０カ所により、正確な位置にワンタッチで装着できるようになった自由運動咬合器
【請求項３】
咬合器本体の材質をＳＵＳ３０４にすることで、腐食せず強度も増した自由運動咬合器
【発明の詳細な説明】
【技術分野】
【０００１】本発明は、補綴修復物の制作のために利用される咬合器に関する。
【背景技術】
【０００２】従来の自由運動咬合器は模型装着部が、石膏で鋼線に直接固定され、模型自体の着脱が不可能なために、インレー、ＦＣＫ、ブリッジなどの補綴修復物の対合関係も制作作業も著しく不具合な自由運動咬合器であった。
【発明の開示】
【発明が解決しようとする課題】
【０００３】以上に述べた従来の自由運動咬合器は、模型装着部が石膏で綱線に直接固定されていたために、正確な対合関係にもまた制作作業にも限界があり、したがって補綴修復物の対合関係に不正確な補綴修復物であった。【０００４】また、従来の自由運動咬合器は石膏を取り外す際、ハンマー等で殴打するため、変形したり装飾用Ｃｒメッキ層がはがれ落ち、腐食の原因となった。【０００５】本発明は、このような従来の構成が有していた問題を解決しようとするものであり、構造と材質を変えることで、対合関係だけでなく、制作作業も一段と能率がよくなることを目的とするものである。
【課題を解決するための手段】
【０００６】本発明は、上記目的を達成するために、上下部本体の弓部鋼線を横広にし、左右にマグネットを装着することで、対合歯に正確な位置関係を確立し、前歯の切端および臼歯の咬耗にそった運動が自然にできるようになり、対合関係が良好になる自由運動咬合器にした。【０００７】また、第２の課題解決手段は、石膏を取り外す際、ハンマー等で、殴打する必要がなくなったと同時に、材質をＳＵＳ３０４にする事で、腐食はなくなり強度も憎すことになった。【０００８】上記第１の課題解決手段による作用は次の通りである。正確な対合位置関係で咬耗にそった運動ができることと、ワンタッチ装着が可能になったことで、咬合チェック作業が頻繁にでき、咬合不良の補綴修復物は激減した。【０００９】また、第２の課題解決手段による作用は、腐食、衝撃に強い変形しにくい咬合器となり機能を長時間維持できるようになった。
【発明の効果】
【００１０】上述したように本発明の自由運動咬合器は、構造を横広にし左右独立したマグネット部分を持つことによって、全顎模型および左右片顎模型が正確に装着できるようになった。また、鋼線の材質、太さを変えることで、強くて丈夫な咬合器を提供することが可能になった。【００１１】構造をマグネットにすることで、模型を取りはずすことが短時間で可能になり、作業能率が一段と飛躍し、作業時間の短縮をすることも可能になった。また、頻繁にチェック作業ができることにより咬合不良も激減し、品質アップにつながった、
【発明を実施するための最良の形態】
【００１２】以下、本発明の実施の形態を図１〜図５に基づいて説明する。材質ＳＵＳ３０４線径５ｍｍの鋼材を弓状に曲げ上部本体Ａを製作する。上部本体Ａの両先端部分に上部本体挿入部Ｂを設ける。（図１参照）【００１３】下部本体Ｃも上部本体Ａと同じ材料（ＳＵＳ３０４、線径５ｍｍ）を使用し弓状に曲げ制作し、立ち上がり部分に材質ＳＵＳ３０４線径２ｍｍのバネ鋼材を焼戻し（熱処理）をして圧入、ロウ付け等で取り付け、下部本体スプリング部Ｄを形成する。焼戻し作業をすることで、下部本体スプリング部Ｄの動きがスムーズとなる。下部本体Ｃの最上部分に、下部本体挿入部Ｅを設け、上部本体挿入部Ｂと装着自在の構造とする。（図２、図３参照）【００１４】上部本体Ａ、下部本体Ｃの完成品に樹脂部分を装着する。装着方向は一体物にするため、上部本体Ａ、下部本体Ｃを、それぞれ樹脂成型金型の任意の位置に差し込む、それと同時に上部樹脂プレート磁石部（左右２カ所）と下部樹脂プレート磁石部（左右２カ所）Ｍの金型部分に磁石Ｎ合計４個を装置し、樹脂を流し込み同時成型をする。（磁石Ｎの裏側には脱落防止のため数本の溝加工をする。）【００１５】上部樹脂プレートＦ、下部樹脂プレートＪ表面には各４カ所の上部樹脂プレート外周位置決めＧ、下部樹脂プレート外周位置決めＫと中央部分に上部樹脂プレート中央位置決めＨ、下部樹脂プレート中央位置決めＬがあり、左右片顎模型、全顎模型等どのような模型に対しても正確な位置決めができ、顎の動きを人体に近い状態で再現できる。【００１６】上下樹脂プレートの磁石部上に、石膏埋め込みプレートＯを装置し、そこに石膏泥を上下樹脂プレート上に流し込み、歯型模型を装着し硬化させる。硬化した石膏には、各位位置決めの型と石膏埋め込みプレートが残り、その型と磁石により何回でも繰り返し正確な場所にワンタッチで歯型模型を装着することが可能となった。
【図面の簡単な説明】
【００１７】
【図１】上部本体平面図
【図２】下部本体平面図
【図３】下部本体側面図
【図４】上部樹脂プレート平面図
【図５】下部樹脂プレート平面図＆側面図
【図６】埋め込み磁石平面図＆側面図
【図７】石膏埋め込みプレート平面図＆側面図
【図８】実施形態を側面から見た全体図
【符号の説明】
【００１８】  〔Ａ〕  上部本体  〔Ｂ〕  上部本体挿入部  〔Ｃ〕  下部本体  〔Ｄ〕  下部本体スプリング部  〔Ｅ〕  下部本体挿入穴  〔Ｆ〕  上部樹脂プレート  〔Ｇ〕  上部樹脂プレート外周位置決め  〔Ｈ〕  上部樹脂プレート中央位置決め  〔Ｉ〕  上部樹脂プレート磁石部（左右２カ所）  〔Ｊ〕  下部樹脂プレート  〔Ｋ〕  下部樹脂プレート外周位置決め  〔Ｌ〕  下部樹脂プレート中央位置決め  〔Ｍ〕  下部樹脂プレート磁石部（左右カ所）  〔Ｎ〕  埋め込み磁石  〔Ｏ〕  石膏埋め込みプレート
【図１】
2005278657.tif 000003
【図２】
2005278657.tif 000004
【図３】
2005278657.tif 000005
【図４】
2005278657.tif 000006
【図６】
2005278657.tif 000007
【図７】
2005278657.tif 000008
【手続補正書】
【提出日】平成16年4月13日(2004.4.13)
【手続補正２】
【補正対象書類名】図面
【補正対象項目名】全図
【補正方法】変更
【補正の内容】
【図１】
2005278657.tif 000009
【図２】
2005278657.tif 000010
【図３】
2005278657.tif 000011
【図４】
2005278657.tif 000012
【図５】
2005278657.tif 000013
【図６】
2005278657.tif 000014
【図７】
2005278657.tif 000015
【図８】
2005278657.tif 000016